(57)【要約】【課題】アンテナを装備したＵＷＢ送受信機のアンテナ方向を容易に変えることが出来る、使い勝手の良いＵＷＢ送受信機装置を提供する。【解決手段】両端に平面アンテナを内蔵したＵＷＢ送受信機１とＵＳＢプラグ２を接続した３軸方向に屈曲及び回動可能で且つ、姿勢保持機能を有する軟鉄からなる金属線３と、前記ＵＷＢ送受信機１とＵＳＢプラグ２の端子間を接続する４本のＵＳＢケーブル４と、該ＵＳＢケーブル４と前記金属線３を被覆する合成樹脂製蛇腹５から成るユニバーサル継ぎ手を設ける。【選択図】図１
2009027475.tif 000002
【特許請求の範囲】
【請求項１】
アンテナを装備したＵＷＢ送受信機とＵＳＢ又はＶＧＡプラグ間に姿勢保持手段を備えた３軸方向可変のユニバーサル継ぎ手を設けたことを特徴とするＵＷＢ送受信機装置。
【請求項２】
形状保持機能を持つ金属線の両端にアンテナを装備したＵＷＢ送受信機とＵＳＢ又はＶＧＡプラグを取付けたことを特徴とする請求項１記載のＵＷＢ送受信機装置。
【請求項３】
ユニバーサル継ぎ手を２段以上のヒンジ部と、２枚の円盤から成る回転部から構成したことを特徴とする請求項１記載のＵＷＢ送受信機装置。
【請求項４】
アンテナを装備したＵＷＢ送受信機とＵＳＢ又はＶＧＡプラグ間に姿勢保持手段を備えた球関節継ぎ手を設けたことを特徴とするＵＷＢ送受信機装置。
【発明の詳細な説明】
【技術分野】
【０００１】
本発明は、例えばプロジェクタ装置またはモニタ装置等の外部デバイス装置をＵＷＢ送受信機を用いてホストＰＣによりワイヤレスＵＷＢ通信制御を行う場合等に用いるＵＷＢ送受信機装置に関するものである。
【背景技術】
【０００２】
ワイヤレスＵＷＢ通信とは、２００６年８月の電波法施行規定の改定により認可された、周波数３．４〜４．８ＧＨｚのＵＷＢ（Ｕｒｔｒａ  Ｗｉｄｅ  Ｂａｎｄ）を利用した低送信電力、近距離高速通信を実現するワイヤレス通信方式を指称するものであるが、ワイヤレスＵＷＢ通信を行う場合に用いられるＵＷＢ送受信機は、アンテナの指向性があるため、電波受信感度を上げる時には、アンテナの位置や方向を変えなければならない。
【０００３】
そこで従来は、平面アンテナ等を内蔵したＵＷＢ送受信機では、電波受信感度の最も良い位置や方向にケーブルを介して外部デバイス装置に接続したＵＷＢ送受信機を置くようにしたり、またアンテナをケーブルで接続してその配置を調節するようにしているが、使い勝手が悪かった。
【非特許文献１】１９７２年４月２５日，（株）平凡社，「世界大百科事典」，５７９頁
【発明の開示】
【発明が解決しようとする課題】
【０００４】
そこで本発明は、アンテナを装備したＵＷＢ送受信機のアンテナ方向を容易に変えることが出来る、使い勝手の良いＵＷＢ送受信機装置を提供しようとするものである。
【課題を解決するための手段】
【０００５】
本発明は上記の課題を解決するためになされたもので、請求項１記載の発明は、アンテナを装備したＵＷＢ送受信機とＵＳＢ又はＶＧＡプラグ間に姿勢保持手段を備えた３軸（Ｘ軸、Ｙ軸、Ｚ軸）方向可変のユニバーサル継ぎ手を設けたことを特徴とするＵＷＢ送受信機装置である。
【０００６】
請求項２記載の発明は、請求項１記載の発明において、形状保持機能を持つ軟鉄、鉛等からなる金属線の両端にアンテナを装備したＵＷＢ送受信機とＵＳＢ又はＶＧＡプラグを取付けたことを特徴とするＵＷＢ送受信機装置である。
【０００７】
請求項３記載の発明は、請求項１記載の発明において、ユニバーサル継ぎ手を２段以上のヒンジ部と、２枚の円盤から成る回転部から構成したことを特徴とするＵＷＢ送受信機装置である。
【０００８】
請求項４記載の発明は、アンテナを装備したＵＷＢ送受信機とＵＳＢ又はＶＧＡプラグ間に姿勢保持手段を備えた球関節継ぎ手を設けたことを特徴とするＵＷＢ送受信機装置である。
【発明の効果】
【０００９】
本発明によれば、ＵＳＢ又はＶＧＡプラグをホストＰＣや外部デバイス装置（プロジェクタ装置、モニタ装置等）のＵＳＢ又はＶＧＡコネクタに装着した場合、ＵＷＢ送受信機は屈曲、回動自在であるから、アンテナを装備したＵＷＢ送受信機の屈曲角度と方向を変化させることにより、電波受信感度を迅速且つ簡単に最良の状態とすることができる。
【実施例１】
【００１０】
図１は、本発明の実施例１の一部を截断した側面図で、１はアンテナ（実施例のものは平面アンテナ）を内蔵したＵＷＢ送受信機、２はＵＳＢプラグ、３は両端を前記ＵＷＢ送受信機１とＵＳＢプラグ２に固定した形状保持機能を有する金属線である。
【００１１】
金属線３の材料としては、軟鉄や自在定規に用いられているような鉛が用いられる。
【００１２】
そして、この金属線３は、前記ＵＷＢ送受信機１とＵＳＢプラグ２の端子間を接続する４本のＵＳＢケーブル４又は被覆電線と共に、合成樹脂製蛇腹５あるいは、合成樹脂をコーティングしたパイプ状の組紐によって被覆されている。
【００１３】
従って、プラグ２をホストＰＣや外部デバイス装置のＵＳＢコネクタに接続した場合、ＵＷＢ送受信機１は金属線３によって姿勢を保持され、金属線３は屈曲及び回動可能であるため、ＵＷＢ送受信機１を動かすことにより、ＵＷＢ送受信機１に内蔵されたアンテナの方向を変え受信感度を最良の状態に設定することができる。
【実施例２】
【００１４】
図２は、本発明の実施例２の側面図、図３はユニバーサル継ぎ手の要部構造を示す断面図で、１１はアンテナを装備したＵＷＢ送受信機、１２はＵＳＢプラグ、１３はユニバーサル継ぎ手である。
【００１５】
ユニバーサル継ぎ手１３は、両側に設けたヒンジ部１３ａ，１３ｂと、相対する２枚の円盤１４ａ，１４ｂとその円盤１４ａ，１４ｂを回動自在に保持する保持ケース１４から成る回動部１３ｃを備え、中空として内部に４本のＵＳＢケーブル１５が挿通され、ＵＳＢケーブル１５の両端は、ヒンジ部１３ａ，１３ｂの各軸に設けた挿通孔を通ってＵＷＢ送受信機１１またはＵＳＢプラグ１２に接続されている。
【００１６】
そして、前記円盤１４ｂの円周には溝１６とストッパ１７が設けられ、また保持ケース１４に前記溝１６と係合する突起１８が設けられていて、円盤１４ｂは３６０度は回動できないように構成してＵＳＢケーブル１５が捩れることがないように工夫されている。
【００１７】
また、円盤１４a，１４ｂをそれぞれ端部に設けた中空腕１９ａ，１９ｂの反対側の端部には、それぞれ中空軸２０ａ，２０ｂが取付けられていて、その外側にラチェットホイル２１が設けられ、ＵＷＢ送受信機１１とＵＳＢプラグ１２には、押釦２２を押すとラチェットホイル２１から外れる止爪２３がそれぞれ設けられている。
【００１８】
以上のようにこの実施例２は２段のヒンジ部と、２枚の円盤１４ａ，１４ｂから成る回転部１３ｃで構成され、ユニバーサル継ぎ手１３によってＵＷＢ送受信機１１とＵＳＢプラグ１２とを連繋してあるのでＵＷＢ送受信機１１に内蔵されるアンテナの方向を自由に変化させることができるため、受信感度の調整を簡単に行うことができ、使い勝手が頗る良い。
【実施例３】
【００１９】
図４は本発明の実施例３の一部を截断した側面図で、１１はアンテナを内蔵したＵＷＢ送受信機、１２は中空の球間接継ぎ手２４を介して前記ＵＷＢ送受信機１１に連繋したＵＳＢプラグである。
【００２０】
この実施例における球間接継ぎ手２４は、ＵＷＢ送受信機１１に取付けた中空球状部２５を有するアーム２６と、前記中空球状部２５と係合する把持部２７と該把持部２７に螺合する押蓋２８とで構成され、押蓋２８を緩め、ＵＷＢ送受信機１１の姿勢を設定してから、押蓋２８を締め固定することによって位置決めするものである。
【００２１】
従って、この構造によれば、両手を使って簡単に受信感度の調整を行うことができる。
【図面の簡単な説明】
【００２２】
【図１】本発明の実施例１の一部截断側面図。
【図２】本発明の実施例２の側面図。
【図３】本発明の実施例２のユニバーサル継ぎ手の要部構造を示す断面図。
【図４】本発明の実施例３の一部截断側面図。
【００２３】
１，１１        ＵＷＢ送受信機
２，１２        ＵＳＢプラグ
３              金属球
４，１５        ＵＳＢケーブル
５              合成樹脂製蛇腹
１３            ユニバーサル継ぎ手
１３ａ，１３ｂ  ヒンジ部
１３ｃ          回動部
１４            保持ケース
１４ａ，１４ｂ  円盤
１６            溝
１７            ストッパ
１８            突起
１９ａ，１９ｂ  中空腕
２０ａ，２０ｂ  中空軸
２１            ラチェットホイル
２２            押釦
２３            止爪
２４            球間接継ぎ手
２５            中空球状体
２６            アーム
２７            把持部
２８            押蓋
【図１】
2009027475.tif 000003
【図２】
2009027475.tif 000004
【図３】
2009027475.tif 000005
【図４】
2009027475.tif 000006